(57)【要約】      （修正有）【課題】芳香剤を収容できる掛け具を提供する。【解決手段】台盤Ａと、台盤の表側に一端が固定されており、他端は湾曲して台盤より突出し、指圧により塑性変形可能な金属製のフック４と、を備える。台盤の表側に一端が固定され、フックの固定された位置から上に延び、湾曲した受けフック５をさらに備える。フックの他端が、一部開いた輪を成すように曲げられており、受けフックの他端が、輪７を成すように曲げられており、受けフックの輪に通されて、回転自在であるリングをさらに備える。台盤の裏側が、中空の箱状であり、箱状体の中に液状の芳香剤を吸収して保持可能な吸収体Ｆが収納されており、台盤の表側に弁が取り付けられており、フックが弁を押圧することにより、弁が開く。【選択図】図２
0003174397.tif 000002
【実用新案登録請求の範囲】
【請求項１】
台盤と、前記台盤の表側に一端が固定されており、指圧により塑性変形可能な金属製の第１のフックと、を備える掛け具。
【請求項２】
前記台盤の前記表側に一端が固定され、前記第１のフックの上に位置する第２のフックをさらに備える請求項１に記載の掛け具。
【請求項３】
前記第２のフックは指圧により塑性変形可能な金属性である請求項２に記載の掛け具。
【請求項４】
前記第１のフックの他端が、一部開いた輪を成すように曲げられており、前記第２のフックの他端が、輪を成すように曲げられており、前記第２のフックの前記輪に通されて、回転自在であるリングをさらに備える請求項２又は３に記載の掛け具。
【請求項５】
前記台盤の裏側が、中空の箱状であり、前記箱状体の中に液状の芳香剤を吸収して保持可能な吸収体が収納されており、前記台盤の前記表側に弁が取り付けられており、前記第１のフックが弁を押圧することにより、前記弁の開く、請求項１ないし４のいずれかに記載の掛け具。
【考案の詳細な説明】
【技術分野】
【０００１】
本案は、壁や机等の下地に掛け具が設置されて、生活用具品及び、生活用品の道具が掛け具に収納されて、芳香剤が道具に放射される掛け具に関するものである。
【背景技術】
【０００２】
背景技術は、生活用品や道具を整理するため、家の壁や机等の下地に、掛け具（フック）又は（受けフック）が設置され、道具が掛け具に収納されるとき、一寸した掛け具の傾斜が気掛りになって、この掛け具の傾斜少し右又は、右に修整すると恰好良いなー、と望まれ、又は、道具が掛け具より風体が少し大のとき、もう少し掛け具の収納口が開くと良いなーと望まれて、又は掛け具に不均衡な形態の道具の荷重や、外的振動等の障害の克服が望まれて、更に道具に噴射器で芳香剤を斑点状に吹付て、道具に染等後遺症の克服を望む。
【０００３】
前記に説明のフックと、額縁や道具等の受フックがあって、両者共に予め規格のフック）又は（受けフック）が設置され、道具が掛け具に収納されるとき、一寸した掛け具の傾斜が気掛りになって、この掛け具の傾斜少し右又は、右に修整すると恰好良いなー、と望まれ、又は、道具が掛け具より風体が少し大のとき、もう少し掛け具の収納口が開くと良いなーと望まれて、又は掛け具に不均衡な形態の道具の荷重や、外的振動等の障害の克服が望まれて、更に道具に噴射器で芳香剤を斑点状に吹付て、道具に染等後遺症の克服を望む。
【０００４】
前記に説明のフックと、額縁や道具等の受フックがあって、両者共に予め規格のフックであって、先行技術には、装飾体を施すなどの容器内に芳香剤があって、容器内を開放状又は、遠心方法で道具及び室内に、芳香剤が放出されておる。
【先行技術文献】
【特許文献】
【０００５】
【特許文献１】実開昭６４‐２８９７０号
【特許文献２】実開平３‐９４１７８号
【特許文献３】実開平６‐３１５８７号
【特許文献４】実開平６‐８６６５８号
【考案の概要】
【考案が解決しようとする課題】
【０００６】
下地にゴム帯の介在で台盤が設置されて、台盤中空に流動芳香剤室と、弁操作筐設備の気化芳香剤室があって、塑性変形可能な掛け具本体中央が台盤表面に接続されて、接続部両サイドに曲折部の介在で、フックと受フック及び、受輪と輪と環を構成の掛け具本体があって、フックに収納道具の荷重で、フックに接触の弁座から弁操作筐の作用で、道具に芳香剤が放射される構成の掛け具に関するものである。
【課題を解決するための手段】
【０００７】
本考案は以下の構造を有するものである。台盤と、前記台盤の表側に一端が固定されており、指圧により塑性変形可能な金属製の第１のフックと、を備える掛け具。
【０００８】
前記台盤の前記表側に一端が固定され、前記第１のフックの上に位置する第２のフックをさらに備える請求項１に記載の掛け具。
【０００９】
前記第１のフックの他端が、一部開いた輪を成すように曲げられており、前記第２のフックの他端が、輪を成すように曲げられており、前記第２のフックの前記輪に通されて、回転自在であるリングをさらに備える請求項２又は３に記載の掛け具。
【００１０】
前記台盤の裏側が、中空の箱状であり、前記箱状体の中に液状の芳香剤を吸収して保持可能な吸収体が収納されており、前記台盤の前記表側に弁が取り付けられており、前記第１のフックが弁を押圧することにより、前記弁の開く、請求項１ないし４のいずれかに記載の掛け具。
【考案の効果】
【００１１】
本考案の請求項により、塑性変形可能な棒状の掛け具本体（１）の素材があって、掛け具本体（１）の両端に、道具がフックに収納の入口と、フックが塑性変形加工される駆動桿役の輪（７）と受輪（６）が巻加工されておって、掛け具本体（１）の中央部と台盤（A）の表面に接続部（２）の両サイドに塑性変形加工の軸足となる曲折部（３）曲折部（３a）が接続されて、道具（K）が収納されるフック（４）と受フック（５）が曲折部（３）曲折部（３a）に接続されて、フック（４）に受輪（６）と受フック（５）に輪（７）が接続されて、収納道具（K）の安定に、輪（７）に回動自由の環（８）が連鎖された構成であって、
【００１２】
台盤（A）の底周から外周にゴム帯（B）が設備されて、箱状の台盤（A）の中空に流動芳香剤（U）収容の芳香剤室（E）と、芳香剤室（E）の中でフック（４）下方位置に、濾過布（J）の壁で仕切られて、天井が開放状態の気化芳香剤室（Ea）が設備されて、気化芳香剤室（Ea）の中に、バネ状の弁座（Z）が接続されておる送風器の弁操作筐（W）が設備されて、気化芳香剤室（Ea）の開放部に弁座（Z）が載置されて、弁座（Z）にフック（４）が接触されて、弁座（Z）に振幅運動が起る構成を特徴とする掛け具があって、
【００１３】
（１）掛け具本体は、塑性変形可能な１本の平帯部と丸帯部の表面からなる半丸棒の素材で、各局部の機能を持つ名称に区分されて、フック（４）受フック（５）に道具（K）の不均衡な荷重及び、外的要因の衝撃等で掛け具に不具合が起って、不具合を除去するため、ゴム帯（B）のゴム作用や、曲折部（３）曲折部（３a）の軸足の振子作用等で、掛け具の不具合が融和されて、掛け具と道具（K）の衛生面及び、趣好面を満喫のため、芳香剤（Ua）を送風器で、道具（K）及び掛け具の周囲に放射されて、更にデザイン的観点等が相俟って、掛け具に道具（K）を安全に収納させ省力的な、掛け具本体（１）を順次説明すると、
【００１４】
（２）接続部は、台盤（A）の表面中央に掛け具本体（１）の平帯の中央部が接続された、接続部（２）両サイドに曲折部（３）曲折部（３a）が連続されておる構成で、
効果１、  接続部（２）は掛け具本体（１）の基盤となって、
効果２、  接続部（２）の基盤から掛け具の作動が始まる。
（３）曲折部と曲折部（３a）は折り目であって、丸帯部が上方の曲折部
（３）で、平帯部が上方の曲折部（３a)の構成で、
効果１、  フックの塑性変形時に曲折部は塑性変形の基準価となり、
効果２、  曲折部は弁作動及び振動の軸足となって、
効果３、  フックに道具の収納及び外的原因で受ける振動や衝撃は、曲折部の振子作用  で振動や衝撃を吸収又は緩和される。
【００１５】
（４）フックの、内周は丸帯部の曲折部（３）に連続されて、フック（４）は湾曲形で外周は平帯部で弁座（Z）に接触の構成は、
効果１、  丸帯部と道具の摩擦面が滑らかで、道具が安定に収納されて
効果２、  フック（４）が駆動源で、弁操作筐（W)が稼働される。
（５）受フックは、曲折部から平帯内周が湾曲形に連続されて、受フックは垂直に道具が受荷されて、丸帯部は景観を保つ構成で、
効果１、  平帯部は道具（K）の安定度高く天空から載置されて、
効果２、  複数の掛け具を並行に据付ると、額や竿等が収納可能であり、
効果３、  指圧塑性変形されるフック（４）とフック（５）の仲間で道具（K）を圧迫  で挾止可能である。
（６）受輪がフック（４）先端に巻設された構成は、
効果１、  受輪（６）に環（８）が連鎖され道具（K）の受皿が広くなり、
効果２、  フック（４）の補強と共に、道具（K)の脱出を防ぐ。
（７）輪が受フック（５）先端に巻設された構成は、
効果１、  輪（７）と受輪（６）は、道具（K）がフックに収納の入口とフックが塑性  変形加工の駆動桿役であって、
効果２、  受フック（５）の拡充又は、紐や鉤等の通し環である。
環（８）が輪（７）に回動自在に嵌合された構成は、
効果１、  掛け具本体（１）に付属した回遊環であって、  
効果２、  環（８）の利用用途広く、鈴や吹流等を付けると興味ある。
【００１６】
本考案の請求項により、多様な下地（X）と台盤（A）の間隔に空気層があって、台盤（A）の裾に接続ゴム帯（B）が、下地（X）の接触位置に設備されて、更にゴム帯（B）の底面に接着テープ（C）と、台盤中央の両サイドにビス孔（D）がある構成は、
効果１、  ゴム帯（B）内の空気層の気圧で接着能力が決まって
効果２、  デザイン的に良く、道具（K）を収納の時ワンクッション置いた柔い強靭感  覚がある。
【００１７】
液状や粉状等の流動芳香剤（U）を芳香剤収納孔（V）から、芳香剤室（E）の海綿（F）に浸溜されておって、芳香剤室（E）の抉り面（Y）位置に、濾過布（J）で仕切られた気化芳香剤室（Ea）があって、芳香剤室（Ea）の中に弁座（Z）接続の弁操作筐（W）が設備された構成で
効果１、  芳香剤（U）の流通経路に特徴があって、
効果２、  ラベンダーやハッカや防菌剤等趣好性がある流動剤の選択可能である。
【００１８】
フック（４）下方の台盤（A）に、一部が開放状の抉り面（Y）があって抉り面（Y）両サイドはボーダライン（M）であって、ボーダライン（M）上方にバネ状の弁座（Z）が載置された構成は、
効果１、  弁座（Z）のバネ作動で、弁の振幅運動が可能で、
効果２、  弁座（Z）から気化芳香剤流と、抉り面（Y）の開放部から外気流が合流す    る。
【００１９】
フック（４）に収納道具（K）の荷重で、曲折部（３）が軸足となって、フック（４）が駆動されて、フック（４）に接触の弁座（Z）の振幅運動で弁操作筐（W）が稼働されて、芳香剤室（Ea）から弁座（Z）の開放部に芳香剤（Ua)の放流と、前者抉り面（Y）の気流が合流して、道具（K）に放射される構成は、
効果１、  フック（４）の駆動源で、弁操作筐（W）機能が働き、
効果２、  自動的に、芳香剤（Ｕ）の循環装置が働く。
【００２０】
前記説明に補足すると、多様式の下地（X）があって、台盤（A）と掛け具本体（１）に、頑強な接続部（２）両サイドにフック（４）受フック（５）の掛け具が、下地（X) に据付けられて、掛け具に不均衡な道具（K）の収納等工程の均衡的要因や、生活環境等外的要因で掛け具に起る衝撃等をゴム帯（B）のゴム作用で、掛け具に道具（K）の不均衡荷重や、衝撃が融和される工程の構成は、
効果１、  衝撃融和の掛け具は、積荷や芳香作業に安定性が有り
効果２、  掛け具が目的とする道具（K）の保護が達成される。
【図面の簡単な説明】
【００２１】
【図１】掛け具の正面図
【図２】図１のA-A´断面図
【図３】図１のB-B´断面図
【考案を実施するための形態】
【００２２】
以下本考案の実施例として揚げた図面に基いて説明すると、図１は掛け具の正面図であって、外観から視た掛け具は、裾状ゴム帯（B）の中に台盤（A）があって、台盤（A）中心位置に掛け具本体（１）が接続されて、台盤（A）上方に芳香剤収容孔（V）があって、台盤（A）中央両サイドにビス孔（D）があって、前者掛け具本体（１）のフック（４）下方の台盤（A）に、下方が開放状の抉り面（Y）が抉られて、抉り面（Y）両サイドはボーダライン（M）であって、ボーダライン（M）に弁座（Z）が位置されておる。
【実施例１】
【００２３】
図２は図１のA-A´断面図で下地（X）と台盤（A）の底面周辺に、ゴム状のゴム帯（B）の空気装置があって、接着テープ（C）と、ビス孔（D）にビス止を予備に持つ台盤（A）があって、台盤（A）に液状芳香剤（U）を吸収して保持可能な吸収体、海綿（F）が収容された芳香室（E）があって、ラベンダーやハッカや防菌剤等のいずれか素材が芳香剤室（E）に収容されて、芳香剤室（E）の抉り面（Y）の位置に当る中空に、濾過布（J）で仕切られた気化芳香剤室（Ea）があって、芳香剤室（Ea）の中に弁操作筐（W）が設備されておる。
【００２４】
図３は図１のB-B´断面図であって、掛け具本体（１）の曲折部（３）が軸足となって、フック（４）の湾曲中心点から、弁の中心線（N）線上の芳香剤室（Ea）底壁に、弁固定ネジ（P）で逆止弁（S）が植立され、逆止弁（S）に計量棒（H）が設備され、
【００２５】
前記説明の抉り面（Y）両サイドのボーダライン（M）上に載置さておる、薄いバネ状で中央に開放穴がある弁座（Z）があって、弁座（Z）に気筒（G）が接続されて、気筒（G）にリング（J）が嵌合されておる弁操作筐（W）の構成である。
【００２６】
道具（K）をフック（４）に収納で駆動源フック（４）の押圧が弁座（Z）に伝動されて、弁座（Z）に接続の（動子）気筒（G）が、気筒内の（固定子）逆止弁（S）に往復運動を起こして、芳香剤（Ua）は図面の矢印のように循環して、道具（K）に放射されて、芳香剤（Ua）の容量は弁座調整ネジ（O）で調整される。
【００２７】
掛け具本体（１）の実施例を説明すると、半丸棒金属製の銅合金を半焼鈍状態の素材があって、棒の両端が長角棒に形成されて、長角棒に受輪（６）輪（７）が巻かれて、棒全長が２等分された中央上方の平帯が、台盤（A）表面に接続の接続部（２）があって、接続部（2）両サイドにフックの塑性変形調整の基準価と、フックの軸足となる曲折部（３）と曲折部（３a）が連続されて、曲折部（３）にフック（４）が連続されて、曲折部（３a）に受フック（５）が連続されており、前記の輪（７）に環（８）が連鎖されて、環（８）は図で示すように環（８）の受フック又は、フック（４）に収納道具（K）の保護  に環（８）が受輪（６）に連鎖可能な構成の掛け具。
【符号の説明】
【００２８】
A        台盤
B        ゴム帯
C        接着テープ
D        ビス孔
V        芳香剤収容孔
E、Ea   芳香剤室
F        海綿
J        濾過布
U、Ua  芳香剤
Y        抉り面
M        ボーダライン
S        逆止弁
H        計量棒
G        気筒
T        リング
P        弁固定ネジ
Z        弁座
O        弁座調整ネジ
N        弁の中心線
W       弁操作筐
K        道具
X        下地
1        掛け具本体
2        接続部
3、3a   曲折部
4        フック
5        受フック
6        受輪
7        輪
8        環
【図１】
0003174397.tif 000003
【図２】
0003174397.tif 000004
【図３】
0003174397.tif 000005
【手続補正書】
【提出日】平成24年1月4日(2012.1.4)
【手続補正１】
【補正対象書類名】実用新案登録請求の範囲
【補正対象項目名】全文
【補正方法】変更
【補正の内容】
【実用新案登録請求の範囲】
【請求項１】
台盤と、前記台盤の表側に一端が固定されており、他端は湾曲して前記台盤より突出し、指圧により塑性変形可能な金属製のフックと、を備える掛け具。
【請求項２】
前記台盤の前記表側に一端が固定され、前記フックの固定された位置から上に延び、湾曲した受けフックをさらに備える請求項１に記載の掛け具。
【請求項３】
前記受けフックは指圧により塑性変形可能な金属性である請求項２に記載の掛け具。
【請求項４】
前記フックの他端が、一部開いた輪を成すように曲げられており、前記受けフックの他端が、輪を成すように曲げられており、前記受けフックの前記輪に通されて、回転自在であるリングをさらに備える請求項２又は３に記載の掛け具。
【請求項５】
前記台盤の裏側が、中空の箱状であり、前記箱状体の中に液状の芳香剤を吸収して保持可能な吸収体が収納されており、前記台盤の前記表側に弁が取り付けられており、前記フックが弁を押圧することにより、前記弁が開く、請求項１ないし４のいずれかに記載の掛け具。